(57)【特許請求の範囲】
【請求項１】
一方の面が情報表示面となり、他方の面に粘着剤が塗工されてなる情報表示ラベルであって、
前記情報表示面にて情報が表示される情報表示部を備え、
前記情報表示部は、紙片が山折り及び谷折りの組み合わせで折り畳まれて重ね合わされた重ね合わせ部を複数有し、
前記複数の重ね合わせ部は、互いに連接して略隙間なく並び、かつ、前記紙片の重ね合わせ枚数が互いに同一であり、重ね合わされた面どうしが剥離可能に接着され、
前記粘着剤による剥離力が、前記重ね合わされた面どうしの剥離力よりも重い、情報表示ラベル。
【請求項２】
請求項１に記載の情報表示ラベルにおいて、
前記情報表示部は、前記情報表示面にて前記複数の重ね合わせ部間を跨いで情報が表示されている、情報表示ラベル。
【発明の詳細な説明】
【技術分野】
【０００１】
本発明は、情報が表示される情報表示ラベルに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、配送物が配送される際、配送物に貼着される配送ラベルに記載されて用いられる場合があるが、その場合、配送物から剥離した配送ラベルの廃棄とともに個人情報が漏洩する可能性が生じてしまう。
【０００３】
ここで、被着物に貼着された状態から剥離すると、その一部が破壊されるラベルが考えられている（例えば、特許文献１参照）。そこで、個人情報が記載されるラベルにこの構造を適用することにより、被着体から剥離された場合にラベルが破壊されることで個人情報を視認させにくくすることができ、それにより、個人情報の漏洩を回避することができる。
【先行技術文献】
【特許文献】
【０００４】
【特許文献１】特許第５７９１８８８号公報
【発明の概要】
【発明が解決しようとする課題】
【０００５】
しかしながら、上述したように被着体に貼着された状態から剥離された場合にその一部が破壊されるラベルにおいては、破壊されたラベルの一部が被着体に残存する可能性があり、その場合、被着体の保管時に見た目が悪くなってしまうという問題点がある。また、ラベルの一部が破壊されることから、ラベルの廃棄に手間がかかってしまうという問題点がある。
【０００６】
本発明は、上述したような従来の技術が有する問題点に鑑みてなされたものであって、被着体に貼着された状態から剥離した場合に被着体から完全に剥離しながらも、表示された情報を視認させにくくすることができる情報表示ラベルを提供することを目的とする。
【課題を解決するための手段】
【０００７】
上記目的を達成するために本発明は、
一方の面が情報表示面となり、他方の面に粘着剤が塗工されてなる情報表示ラベルであって、
前記情報表示面にて情報が表示される情報表示部を備え、
前記情報表示部は、紙片が山折り及び谷折りの組み合わせで折り畳まれて重ね合わされた重ね合わせ部を複数有し、
前記複数の重ね合わせ部は、互いに連接して略隙間なく並び、かつ、前記紙片の重ね合わせ枚数が互いに同一であり、重ね合わされた面どうしが剥離可能に接着され、
前記粘着剤による剥離力が、前記重ね合わされた面どうしの剥離力よりも重い。
【０００８】
上記のように構成された本発明においては、粘着剤によって被着体に貼着された状態から、複数の重ね合わせ部の並び方向の一端を持ち上げるようにして被着体から剥離していくと、粘着剤による剥離力が、複数の重ね合わせ部にて折り畳まれた紙片の重ね合わせ面どうしの剥離力よりも重いため、紙片の重ね合わせ面が剥離して山折り及び谷折りが解消されていきながら、被着体から完全に剥離されることとなる。すると、複数の重ね合わせ部は、紙片が山折り及び谷折りの組み合わせで折り畳まれていたので、山折り及び谷折りの組み合わせで折り畳まれることで表出していなかった重ね合わせ面が、情報表示部として表出していた表出面の間に表出する。そして、複数の重ね合わせ部が、紙片が山折り及び谷折りの組み合わせで折り畳まれた状態にて互いに連接して略隙間なく並んでいたため、情報表示部の情報表示面に表示された情報が、表出した重ね合わせ面によって分割されることとなり、視認しにくくなる。また、山折り及び谷折りの組み合わせで折り畳まれた紙片の重ね合わせ枚数が複数の重ね合わせ部間で互いに同一であることで、情報表示部における厚さが均一となり、プリンタにおいて情報表示部に情報を印字する際に支障が生じることがない。
【０００９】
このように、粘着剤によって被着体に貼着された状態から、複数の重ね合わせ部の並び方向の一端を持ち上げるようにして被着体から剥離していくだけで、情報表示部に表示された情報を視認しにくくした状態で被着体から完全に剥離することができる。
【００１０】
また、情報表示部に、複数の重ね合わせ部間を跨いで情報を表示しておく構成としてもよい。
【発明の効果】
【００１１】
本発明によれば、粘着剤によって被着体に接着された状態から、複数の重ね合わせ部の並び方向の一端を持ち上げるようにして被着体から剥離していくだけで、被着体から完全に剥離しながらも、表示された情報を視認させにくくすることができる。
【図面の簡単な説明】
【００１２】
【図１】本発明の情報表示ラベルの第１の実施の形態を示す図であり、（ａ）は平面図、（ｂ）は（ａ）に示したＡ−Ａ’断面図である。
【図２】図１に示した情報表示ラベルの製造方法を説明するための図である。
【図３】図１に示した情報表示ラベルの使用方法を説明するための平面図である。
【図４】図１に示した情報表示ラベルの使用方法を説明するための断面図である。
【図５】本発明の情報表示ラベルの第２の実施の形態を示す図であり、（ａ）は平面図、（ｂ）は（ａ）に示したＡ−Ａ’断面図である。
【図６】本発明の情報表示ラベルの第３の実施の形態を示す図であり、（ａ）は紙基材の重ね合わせ面が接着されている状態を示す平面図、（ｂ）は紙基材の重ね合わせ面が剥離した状態を示す平面図である。
【図７】本発明の情報表示ラベルの第４の実施の形態を示す図であり、（ａ）は平面図、（ｂ）は（ａ）に示したＡ−Ａ’断面図である。
【発明を実施するための形態】
【００１３】
以下に、本発明の実施の形態について図面を参照して説明する。
【００１４】
（第１の実施の形態）
図１は、本発明の情報表示ラベルの第１の実施の形態を示す図であり、（ａ）は平面図、（ｂ）は（ａ）に示したＡ−Ａ’断面図である。
【００１５】
本形態は図１に示すように、紙片となる１枚の紙基材３０が山折りと谷折りとが交互になる組み合わせで折り畳まれ、山折り及び谷折りによって重ね合わされた面どうしが接着剤４０によって剥離可能に接着されて構成され、一方の面が情報表示面となり、他方の面の全面に粘着剤５０が塗工されてなる情報表示ラベル１である。この情報表示ラベル１は、３つの情報表示部１１〜１３が連接するとともに、その両側に把持部２１，２２が連接して構成されている。なお、図１（ｂ）においては、紙基材３０のうち重ね合わせ面のみに接着剤４０が塗工されているように図示しているが、接着剤４０は紙基材３０の両面全面に塗工されている。この接着剤４０は、例えば水性エマルジョンタイプのものであり、塗工された面どうしを接着するものであるため、紙基材３０の情報表示面となる側の表出面がべたつくことがなく、印字や筆記が可能となっている。ただし、図１（ｂ）に示すように紙基材３０のうち重ね合わせ面のみに接着剤４０が塗工された構成としてもよい。
【００１６】
情報表示部１１は、紙基材３０がその断面がＺ状となるように山折り及び谷折りの一定のピッチでの繰り返しで折り畳まれて重ね合わされた重ね合わせ部１１ａ〜１１ｃを有している。重ね合わせ部１１ａ〜１１ｃは、折り畳まれた紙基材３０の重ね合わせ面どうしが接着剤４０によって剥離可能に接着されており、１枚の紙基材３０が折り畳まれることで構成されることから、互いに連接している。また、重ね合わせ部１１ａ〜１１ｃは、それぞれ、紙基材３０がその断面がＺ状となるように山折り及び谷折りの繰り返しで折り畳まれて重ね合わされていることから、紙基材３０の重ね合わせ枚数がそれぞれ３枚で互いに同一となっている。このように構成された重ね合わせ部１１ａ〜１１ｃは、情報表示部１１〜１３の連接方向に隙間なく並んでいる。
【００１７】
情報表示部１２は、紙基材３０がその断面がＺ状となるように山折り及び谷折りの一定のピッチでの繰り返しで折り畳まれて重ね合わされた重ね合わせ部１２ａ〜１２ｃを有している。重ね合わせ部１２ａ〜１２ｃは、折り畳まれた紙基材３０の重ね合わせ面どうしが接着剤４０によって剥離可能に接着されており、１枚の紙基材３０が折り畳まれることで構成されることから、互いに連接している。また、重ね合わせ部１２ａ〜１２ｃは、それぞれ、紙基材３０がその断面がＺ状となるように山折り及び谷折りの繰り返しで折り畳まれて重ね合わされていることから、紙基材３０の重ね合わせ枚数がそれぞれ３枚で互いに同一となっている。このように構成された重ね合わせ部１２ａ〜１２ｃは、情報表示部１１〜１３の連接方向に隙間なく並んでいる。
【００１８】
情報表示部１３は、紙基材３０がその断面がＺ状となるように山折り及び谷折りの一定のピッチでの繰り返しで折り畳まれて重ね合わされた重ね合わせ部１３ａ〜１３ｃを有している。重ね合わせ部１３ａ〜１３ｃは、折り畳まれた紙基材３０の重ね合わせ面どうしが接着剤４０によって剥離可能に接着されており、１枚の紙基材３０が折り畳まれることで構成されることから、互いに連接している。また、重ね合わせ部１３ａ〜１３ｃは、それぞれ、紙基材３０がその断面がＺ状となるように山折り及び谷折りの繰り返しで折り畳まれて重ね合わされていることから、紙基材３０の重ね合わせ枚数がそれぞれ３枚で互いに同一となっている。このように構成された重ね合わせ部１３ａ〜１３ｃは、情報表示部１１〜１３の連接方向に隙間なく並んでいる。
【００１９】
把持部２１，２２はそれぞれ、紙基材３０がその断面がＺ状となるように山折り及び谷折りの一定のピッチでの繰り返しで折り畳まれて重ね合わされ、重ね合わせ面どうしが接着剤４０によって剥離可能に接着されて構成されている。
【００２０】
以下に、上記のように構成された情報表示ラベル１の製造方法について説明する。
【００２１】
図２は、図１に示した情報表示ラベル１の製造方法を説明するための図である。
【００２２】
図１に示した情報表示ラベル１は、図２に示すようにロール２に巻かれた連続状の紙基材３０を用いて製造される。紙基材３０としては、例えば、１００μｍ程度のものを用いることが考えられる。これは、図１に示したように情報表示部１１〜１３においては紙基材３０の重ね合わせ枚数が３枚であることを鑑みると、情報表示部１１〜１３の厚さを、厚手の紙製品である、官製はがきや預金通帳表紙に相当する３００μｍ程度とすることが好ましいと思われるためである。
【００２３】
ロール２に巻かれた連続状の紙基材３０が引き出されると、まず、接着剤塗工部３において、紙基材３０の両面に接着剤４０が塗工される。接着剤４０は、紙基材３０を後述するように、情報表示ラベル１を被着体から剥離する際の引っ張り力の指標として、１５０ｍｍの幅当たり３Ｎ〜２３Ｎを目安にし、実運用上で支障が起こり得ない程度の安全係数を考慮した製品仕様とすることが考えられる。
【００２４】
次に、折り畳み部４において、上述した重ね合わせ部１１ａ〜１１ｃ，１２ａ〜１２ｃ，１３ａ〜１３ｃ及び把持部２１，２２を構成するように紙基材３０が折り畳まれる。紙基材３０の折り畳みは、例えば、金属の板金加工等で用いられる、いわゆるヘミング曲げを適用することが考えられる。ここで、紙基材３０は、重ね合わせ部１１ａ〜１１ｃ，１２ａ〜１２ｃ，１３ａ〜１３ｃ及び把持部２１，２２のそれぞれにおいて、山折り及び谷折りの一定のピッチでの繰り返しで折り畳まれることになるが、そのピッチは、例えば７０μｍ〜１ｍｍの範囲が好ましい。これは、見やすい文字の大きさ基準の１つに７ｐｔを謳う規則があり、上述したように、情報表示部１１〜１３のそれぞれを、３つの重ね合わせ部１１ａ〜１１ｃ，１２ａ〜１２ｃ，１３ａ〜１３ｃから構成することを鑑みた場合に、情報表示部１１〜１３に表示された情報を視認することができ、かつ、３つに分割した場合に視認させにくくすることができる程度とするためである。
【００２５】
次に、圧着部５において、折り畳まれた紙基材３０に、紙基材３０を介して対向配置された２つの圧着ローラ５ａ，５ｂによってその表裏から圧力が加えられる。これにより、折り畳まれた紙基材３０の重ね合わせ面どうしが接着剤４０によって剥離可能に接着されるとともに、折り畳まれた紙基材３０の厚さが平準化され、その表面が平滑になる。
【００２６】
次に、粘着剤塗工部７において、重ね合わせ面どうしが接着剤４０によって剥離可能に接着された紙基材１の情報表示面とは反対側の面の全面に、粘着剤５０が塗工される。粘着剤５０は、紙基材３０を後述するように、情報表示ラベル１を被着体から剥離する際に、情報表示ラベル１がある程度被着体に貼着された状態で、接着剤４０による紙基材３０の重ね合わせ面の剥離を発現させる程度の粘着力を有するものであり、接着剤４０による紙基材３０の重ね合わせ面の剥離を発現させる力の指標となる、１５０ｍｍの幅当たり３Ｎ〜２３Ｎに対して、２５Ｎ以上であって被着体から剥離可能な相当の粘着力を有し、例えば２０〜３０μｍ程度の厚さで塗布される。これにより、粘着剤５０による剥離力が、重ね合わされた面どうしの接着剤４０による剥離力よりも重いものとなる。
【００２７】
その後、カット部６において、連続状の紙基材３０が、図１に示した情報表示ラベル１の単位毎に単片状に断裁される。
【００２８】
以下に、上述した情報表示ラベル１の使用方法及びその際の作用について説明する。
【００２９】
図３は、図１に示した情報表示ラベル１の使用方法を説明するための平面図であり、図４は、図１に示した情報表示ラベル１の使用方法を説明するための断面図である。
【００３０】
図１に示した情報表示ラベル１を使用する場合は、まず、図３（ａ）に示すように、紙基材３０がその重ね合わせ面どうしが接着剤４０によって剥離可能に接着されている状態において、情報表示部１１〜１３のそれぞれに、重ね合わせ部１１ａ〜１１ｃ，１２ａ〜１２ｃ，１３ａ〜１３ｃ間を跨いで情報“Ａ”，“Ｂ”，“Ｃ”を記入する。この際、情報表示部１１〜１３のそれぞれにおいては、重ね合わせ部１１ａ〜１１ｃ，１２ａ〜１２ｃ，１３ａ〜１３ｃの厚さが互いに同一であり、その表面が平滑となっているため、情報を記入しやすくなっている。この状態では、情報表示部１１〜１３に記入された情報“Ａ”，“Ｂ”，“Ｃ”はそれぞれ視認可能となっている。
【００３１】
このように情報表示部１１〜１３のそれぞれに、情報“Ａ”，“Ｂ”，“Ｃ”が記入された後、図４（ａ）に示すように、粘着剤５０によって配送物や一般用紙等の被着体８に貼着された状態から、情報表示ラベル１の複数の重ね合わせ部１１ａ〜１１ｃ，１２ａ〜１２ｃ，１３ａ〜１３ｃの並び方向の一端となる把持部２１を把持して持ち上げるようにして被着体８から剥離していくと、粘着剤５０による剥離力が、複数の重ね合わせ部１１ａ〜１１ｃ，１２ａ〜１２ｃ，１３ａ〜１３ｃにて折り畳まれた紙基材３０の重ね合わせ面どうしの接着剤４０による剥離力よりも重いため、図４（ｂ）に示すように、重ね合わせ部１１ａ〜１１ｃ，１２ａ〜１２ｃ，１３ａ〜１３ｃのそれぞれにおいて、紙基材３０の重ね合わせ面が剥離して山折り及び谷折りが順次解消されていきながら、被着体８から剥離されていく。なお、把持部２１を把持して持ち上げる方向については、図４においては、図４中左上に向かう方向となっているが、紙基材３０がその断面がＺ状となるように山折り及び谷折りの一定のピッチでの繰り返しで折り畳まれているので、粘着剤５０による剥離力が、複数の重ね合わせ部１１ａ〜１１ｃ，１２ａ〜１２ｃ，１３ａ〜１３ｃにて折り畳まれた紙基材３０の重ね合わせ面どうしの接着剤４０による剥離力よりも重ければ、図４中上に向かう方向であっても、重ね合わせ部１１ａ〜１１ｃ，１２ａ〜１２ｃ，１３ａ〜１３ｃのそれぞれにおいて、紙基材３０の重ね合わせ面が剥離して山折り及び谷折りが順次解消されていきながら、情報表示ラベル１を被着体８から剥離することができる。また、紙基材３０の重ね合わせ面を剥離する際、被着体８が一般用紙等、湾曲可能なものであれば、情報表示ラベル１を湾曲させることで重ね合わせ面の一部をまず剥離させ、その剥離した部分をきっかけとして重ね合わせ面を剥離していくことも考えられる。その場合、重ね合わせ部１１ａ〜１１ｃ，１２ａ〜１２ｃ，１３ａ〜１３ｃのそれぞれにて表出する部分にコーナーカットを設けておくことで、重ね合わせ面をさらに剥離しやすくすることも考えられる。
【００３２】
そして、重ね合わせ部１１ａ〜１１ｃ，１２ａ〜１２ｃ，１３ａ〜１３ｃのそれぞれにおいて、図４（ｃ）に示すように紙基材３０の山折り及び谷折りが完全に解消すると、図３（ｂ）に示すように、重ね合わせ部１１ａ〜１１ｃ，１２ａ〜１２ｃ，１３ａ〜１３ｃがそれぞれ、紙基材３０が山折り及び谷折りの組み合わせで折り畳まれていたので、情報表示部１１を構成する重ね合わせ部１１ａ〜１１ｃにおいては、山折り及び谷折りの組み合わせで折り畳まれることで表出していなかった重ね合わせ面１１ａ−２，１１ａ−３，１１ｂ−２，１１ｂ−３，１１ｃ−２，１１ｃ−３が、情報“Ａ”が記入された表出面１１ａ−１，１１ｂ−１，１１ｃ−１の間にそれぞれ表出する。そして、重ね合わせ部１１ａ〜１１ｃが、紙基材３０が山折り及び谷折りの組み合わせで折り畳まれた状態にて互いに隙間なく並んでいたため、情報表示部１１の表示面となる重ね合わせ部１１ａ〜１１ｃの表出面１１ａ−１，１１ｂ−１，１１ｃ−１に表示された情報“Ａ”が、表出した重ね合わせ面１１ａ−２，１１ａ−３，１１ｂ−２，１１ｂ−３，１１ｃ−２，１１ｃ−３によって分割されることとなり、視認しにくくなる。
【００３３】
また、情報表示部１２を構成する重ね合わせ部１２ａ〜１２ｃにおいても同様に、山折り及び谷折りの組み合わせで折り畳まれることで表出していなかった重ね合わせ面１２ａ−２，１２ａ−３，１２ｂ−２，１２ｂ−３，１２ｃ−２，１２ｃ−３が、情報“Ｂ”が記入された表出面１２ａ−１，１２ｂ−１，１２ｃ−１の間にそれぞれ表出する。そして、重ね合わせ部１２ａ〜１２ｃが、紙基材３０が山折り及び谷折りの組み合わせで折り畳まれた状態にて互いに隙間なく並んでいたため、情報表示部１２の表示面となる重ね合わせ部１２ａ〜１２ｃの表出面１２ａ−１，１２ｂ−１，１２ｃ−１に表示された情報“Ｂ”が、表出した重ね合わせ面１２ａ−２，１２ａ−３，１２ｂ−２，１２ｂ−３，１２ｃ−２，１２ｃ−３によって分割されることとなり、視認しにくくなる。
【００３４】
また、情報表示部１３を構成する重ね合わせ部１３ａ〜１３ｃにおいても同様に、山折り及び谷折りの組み合わせで折り畳まれることで表出していなかった重ね合わせ面１３ａ−２，１３ａ−３，１３ｂ−２，１３ｂ−３，１３ｃ−２，１３ｃ−３が、情報“Ｃ”が記入された表出面１３ａ−１，１３ｂ−１，１３ｃ−１の間にそれぞれ表出する。そして、重ね合わせ部１３ａ〜１３ｃが、紙基材３０が山折り及び谷折りの組み合わせで折り畳まれた状態にて互いに隙間なく並んでいたため、情報表示部１３の表示面となる重ね合わせ部１３ａ〜１３ｃの表出面１３ａ−１，１３ｂ−１，１３ｃ−１に表示された情報“Ｃ”が、表出した重ね合わせ面１３ａ−２，１３ａ−３，１３ｂ−２，１３ｂ−３，１３ｃ−２，１３ｃ−３によって分割されることとなり、視認しにくくなる。
【００３５】
このように、情報表示部１１〜１３に情報が表示された状態で粘着剤５０によって被着体８に貼着された状態から、情報表示ラベル１の複数の重ね合わせ部１１ａ〜１１ｃ，１２ａ〜１２ｃ，１３ａ〜１３ｃの並び方向の一端となる把持部２１あるいは把持部２２を把持して持ち上げるようにして被着体８から剥離していくだけで、被着体８から完全に剥離しながらも、情報表示部１１〜１３に表示された情報が確実に視認しにくくなる。
【００３６】
（第２の実施の形態）
図５は、本発明の情報表示ラベルの第２の実施の形態を示す図であり、（ａ）は平面図、（ｂ）は（ａ）に示したＡ−Ａ’断面図である。
【００３７】
本形態は図５に示すように、第１の実施の形態に示したものに対して、情報表示部１１１〜１１３における紙基材１３０の折り畳み方が異なるとともに、把持部１２１，１２２においては、紙基材１３０が折り畳まれずに構成されている点が異なる情報表示ラベル１０１である。本形態の情報表示ラベル１０１においては、情報表示部１１１〜１１３において、紙基材１３０がその断面がΩ状と逆Ω状とが交互となるように山折り及び谷折りの一定のピッチでの繰り返しで折り畳まれている。
【００３８】
上記のように構成された情報表示ラベル１０１においても、第１の実施の形態に示したものと同様に、情報表示部１１１〜１１３に情報が表示された状態で粘着剤１５０によって被着体に接着された状態から、情報表示ラベル１０１の複数の重ね合わせ部１１１ａ〜１１１ｃ，１１２ａ〜１１２ｃ，１１３ａ〜１１３ｃの並び方向の一端となる把持部１２１を把持して持ち上げるようにして被着体から剥離していくだけで、被着体から完全に剥離しながらも、情報表示部１１１〜１１３に表示された情報が確実に視認しにくくなる。ただし、本形態においては、紙基材１３０がその断面がΩ状と逆Ω状とが交互となるように山折り及び谷折りの一定のピッチでの繰り返しで折り畳まれているため、紙基材１３０が連接していく順序が、重ね合わせ部１１１ａ〜１１１ｃ，１１２ａ〜１１２ｃ，１１３ａ〜１１３ｃどうしで異なる。例えば、重ね合わせ部１１１ａにおいては、把持部１２１側から、まず表出面側の部分が連接し、その後、中間部分、被着体との貼着面側の部分と連接していくのに対して、重ね合わせ部１１１ｂにおいては、把持部１２１側から、まず被着体との貼着面側の部分が連接し、その後、中間部分、表出面側の部分と連接していく。そのため、被着体から剥離する際、余計な力が必要となったり、紙基材１３０に大きな負荷がかかって紙基材１３０の材質や厚さによっては紙基材１３０が破断してしまう場合がある。
【００３９】
また、把持部１２１，１２２が、紙基材１３０が折り畳まれずに構成されているが、把持部１２１，１２２においては、情報表示部１１１，１１２，１１３のように、情報が表示されるものではないため、第１の実施の形態に示したもののように紙基材３０が折り畳まれて構成されていてもよいし、本形態のように紙基材１３０が折り畳まれずに構成されていてもよい。また、製造工程にて支障がない限りにおいて、紙基材の重ね合わせ枚数を情報表示部と同一としてその厚さを同一としても、紙基材の重ね合わせ枚数を情報表示部と異ならせてその厚さを情報表示部よりも薄くしたり厚くしたりしてもよい。ただし、把持部の厚さが情報表示部よりも厚くなると、圧着ローラ５ａ，５ｂによって圧力を加えることで紙基材３０の重ね合わせ面どうしを接着する際、情報表示部に接着のために十分な圧力が加わらなくなる虞があるため、把持部の厚さは情報表示部の厚さ以下とすることが好ましい。
【００４０】
また、上述したように把持部を把持して情報表示ラベルを引っ張って被着体から剥離していくことを鑑みると、紙基材の材質や厚さによってはその強度を保持するために、把持部に補強剤を塗工することも考えられる。その場合においても、把持部の厚さは情報表示部の厚さ以下とすることが好ましい。
【００４１】
（第３の実施の形態）
図６は、本発明の情報表示ラベルの第３の実施の形態を示す図であり、（ａ）は紙基材２３０の重ね合わせ面が接着されている状態を示す平面図、（ｂ）は紙基材２３０の重ね合わせ面が剥離した状態を示す平面図である。
【００４２】
本形態は図６に示すように、第１の実施の形態に示したものに対して、情報表示部２１１〜２１３のそれぞれに、重ね合わせ部２１１ａ〜２１１ｃ，２１２ａ〜２１２ｃ，２１３ａ〜２１３ｃ間を跨いで情報“Ａ”，“Ｂ”，“Ｃ”が既に印字されているとともに、情報表示部２１１，２１３を構成する重ね合わせ部２１１ａ〜２１１ｃ，２１２ａ〜２１２ｃ，２１３ａ〜２１３ｃの重ね合わせ面２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３に、文字や記号あるいは数字からなるカモフラージュ情報が印字されており、さらに、山折り及び谷折りとなる折り部にミシン目２３１が形成されている点が異なる情報表示ラベル２０１である。
【００４３】
上記のように構成された情報表示ラベル２０１を、図２に示した工程を用いて製造する場合は、接着剤塗工部３にて紙基材２３０に接着剤２４０が塗工された後、折り畳み部４にて紙基材２３０が折り畳まれる前に、重ね合わせ部２１１ａ〜２１１ｃ，２１２ａ〜２１２ｃ，２１３ａ〜２１３ｃの重ね合わせ面２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３にカモフラージュ情報を印字するとともに、折り部にミシン目２３１を形成し、圧着部５にて２つの圧着ローラ５ａ，５ｂによってその表裏から圧力が加えられた後に、情報表示部２１１〜２１３のそれぞれに、重ね合わせ部２１１ａ〜２１１ｃ，２１２ａ〜２１２ｃ，２１３ａ〜２１３ｃ間を跨いで既に情報“Ａ”，“Ｂ”，“Ｃ”を印字することとなる。なお、重ね合わせ部２１１ａ〜２１１ｃ，２１２ａ〜２１２ｃ，２１３ａ〜２１３ｃの重ね合わせ面２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３へのカモフラージュ情報の印字は、ロール４に巻かれた紙基材２３０に表示されているタイミングマークを検知することでそのタイミングが制御されることになる。
【００４４】
本形態における情報表示ラベル２０１においては、被着体から剥離することで紙基材２３０の重ね合わせ面を剥離して山折り及び谷折りを解消した場合、第１の実施の形態に示したもののように、情報“Ａ”，“Ｂ”，“Ｃ”のそれぞれについて分割した部分の間に何も表示されていない重ね合わせ部が存在するのではなく、カモフラージュ情報が存在するため、紙基材２３０に表示された情報のうち、どの情報が情報表示部２１１〜２１３に表示されていた情報であるか判断することができず、それにより、紙基材２３０を山折り及び谷折りによって元の状態に戻すことが困難となる。
【００４５】
また、山折り及び谷折りとなる折り部にミシン目２３１が形成されているため、このミシン目２３１を用いて紙基材２３０を破断することができ、情報表示部２１１〜２１３に印字された情報“Ａ”，“Ｂ”，“Ｃ”を認識することをさらに困難とさせることができる。なお、ミシン目２３１は、紙基材２３１の折り部以外の領域に形成しておいても同様の効果を得ることができる。また、ミシン目２３１が、紙基材２３０を山折り及び谷折りする折り部に形成されていることにより、紙基材２３０を山折り及び谷折りしやすくなる。
【００４６】
なお、ミシン目２３１の代わりにハーフスリットを紙基材２３０に形成した構成とすることも考えられる。
【００４７】
（第４の実施の形態）
図７は、本発明の情報表示ラベルの第４の実施の形態を示す図であり、（ａ）は平面図、（ｂ）は（ａ）に示したＡ−Ａ’断面図である。
【００４８】
本形態は図７に示すように、第１の実施の形態に示したものに対して、情報表示部３１３の重ね合わせ部３１３ａ〜３１３ｃにおける紙基材３３０の重ね合わせ枚数が、情報表示部３１１，３１２それぞれの重ね合わせ部３１１ａ〜３１１ｃ，３１２ａ〜３１２ｃにおける紙基材３３０の重ね合わせ枚数と異なる点が異なる情報表示ラベル３０１である。本形態においては、情報表示部３１１，３１２それぞれの重ね合わせ部３１１ａ〜３１１ｃ，３１２ａ〜３１２ｃにおける紙基材３３０の重ね合わせ枚数が、第１の実施の形態に示したものと同様に３枚であるのに対して、情報表示部３１３の重ね合わせ部３１３ａ〜３１３ｃにおける紙基材３３０の重ね合わせ枚数が５枚となっており、それにより、複数の情報表示部３１１〜３１３について、重ね合わせ部における紙片の重ね合わせ枚数が互いに異なる組み合わせが存在している。
【００４９】
上記のように構成された情報表示ラベル３０１においても、情報表示部３１１〜３１３のそれぞれについては、重ね合わせ部３１１ａ〜３１１ｃ，３１２ａ〜３１２ｃ，３１３ａ〜３１３ｃにおける紙基材３３０の重ね合わせ枚数が同一となっているので、製造工程にて支障がない限りにおいて、情報表示部３１１〜３１３に情報を記入したり印字したりする際に弊害が生じてしまうことがない。
【００５０】
なお、第１、第２及び第４の実施の形態においては、情報表示部に情報が記入され、第３の実施の形態においては情報表示部に情報が印字されているが、本発明における情報の表示とは、印字、印刷、手書きによる記入等、特にその手段を限定しない。
【００５１】
また、上述した実施の形態においては、情報表示部を構成する複数の重ね合わせ部が隙間なく並んでいるが、製造過程や条件等によって複数の重ね合わせ部間に多少の隙間が生じたとしても、その隙間が、情報表示部に表示された情報を文字認識カメラで読み取ることができたり、印字カスレ等の範囲内に収まる程度のものであれば、紙基材の重ね合わせ面が剥離されていない状態においては情報を視認させ、重ね合わせ面が剥離されて山折り及び谷折りが解消した状態においては情報を視認させにくくする構成とすることができる。例えば、情報表示部が、２．５ｍｍ四方の大きさであって、３つの重ね合わせ部が並んで構成される場合、重ね合わせ部の隙間が２．５ｍｍの１／１０程度の０．３ｍｍ以下であれば、情報表示部に表示される文字についてその隙間による脱落部分を人間の目によって補足することができ、また、隙間による脱落箇所が多少異なった場合でも、前後の文字から推測することができる。このような複数の重ね合わせ面の並び状態も含めて、本願発明では、略隙間なく並びと定義する。
【００５２】
また、上述した実施の形態においては、１枚の紙基材が山折り及び谷折りの組み合わせで折り畳まれているが、複数の紙基材が繋ぎ合わされることで連接したものが山折り及び谷折りの組み合わせで折り畳まれているものであってもよい。
【産業上の利用可能性】
【００５３】
本発明の情報表示ラベルは、配送物に貼着される配送ラベルや、郵送物に貼着される宛名ラベル等に利用することが考えられる。
【符号の説明】
【００５４】
１，１０１，２０１    情報表示ラベル
２    ロール
３    接着剤塗工部
４    折り畳み部
５    圧着部
５ａ，５ｂ    圧着ローラ
６    カット部
７    粘着剤塗工部
８    被着体
１１〜１３，１１１〜１１３，２１１〜２１３    情報表示部
１１ａ〜１１ｃ，１２ａ〜１２ｃ，１３ａ〜１３ｃ，１１１ａ〜１１１ｃ，１１２ａ〜１１２ｃ，１１３ａ〜１１３ｃ，２１１ａ〜２１１ｃ，２１２ａ〜２１２ｃ，２１３ａ〜２１３ｃ    重ね合わせ部
１１ａ−１，１１ｂ−１，１１ｃ−１，１２ａ−１，１２ｂ−１，１２ｃ−１，１３ａ−１，１３ｂ−１，１３ｃ−１，２１１ａ−１，２１１ｂ−１，２１１ｃ−１，２１２ａ−１，２１２ｂ−１，２１２ｃ−１，２１３ａ−１，２１３ｂ−１，２１３ｃ−１    表出面
１１ａ−２，１１ａ−３，１１ｂ−２，１１ｂ−３，１１ｃ−２，１１ｃ−３，１２ａ−２，１２ａ−３，１２ｂ−２，１２ｂ−３，１２ｃ−２，１２ｃ−３，１３ａ−２，１３ａ−３，１３ｂ−２，１３ｂ−３，１３ｃ−２，１３ｃ−３，２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３    重ね合わせ面
２１，２２，１２１，１２２，２２１，２２２，３２１，３２２    把持部
３０，１３０，３３０    紙基材
４０，１４０，２４０    接着剤
５０，１５０，３５０    粘着剤
２３１    ミシン目
【図１】
0006549025.tif 000002
【図２】
0006549025.tif 000003
【図３】
0006549025.tif 000004
【図４】
0006549025.tif 000005
【図５】
0006549025.tif 000006
【図６】
0006549025.tif 000007
【図７】
0006549025.tif 000008